(57)【要約】本発明は、イチゴ、小型葉菜類などの球根作物及び観賞植物の多収穫または多量栽培を可能にするために、水及び／または栄養液の通路である複数の孔１８が形成された下敷板１９を備え、下敷板の上部にはイチゴ及び小型葉菜類を植えて栽培することができる複数の孔１２が所定間隔及び大きさに形成されている本体１１が位置し、本体には側面に植えた作物が根を通じて水と栄養液が供給されることができるように、ピ−トモス、粗砂、炭、籾殻混合物、粉炭、パーライト、有機質混合上土及び黄土の中の一つまたは二つ以上が混合された用土を入れ、本体の中央には作物がよく育つように水及び／または栄養液を注入して本体内部の用土を通じて作物に水と栄養液を供給するための配管またはホースが設置され、本体に形成された孔にポット育苗箱で育った苗を本体に形成された孔に植えて作物を栽培することができるように設計製作された多層構造機構を利用したイチゴ及び小型葉菜類の栽培装置及び方法を提供する。【選択図】図４
2012516151.tif 000002
【特許請求の範囲】
【請求項１】
イチゴ、小型葉菜類、球根作物及び観賞植物の栽培装置において、
水及び／または栄養液を供給する場合に、重力によって下へ流れるように複数の孔が形成された下敷板と、
前記下敷板の上部に位置し、側面にはイチゴ及び小型葉菜類を植えて栽培することができる複数の孔が形成され、内部には植えた作物に水及び／または栄養液を供給できるようにピ−トモス、粗砂、炭、籾殻混合物、粉炭、パーライト、有機質混合上土及び黄土中の一つまたは二つ以上が混合された用土を入れた本体と、
前記本体の中央に設置され、作物がよく育つように水及び／または栄養液を注入または噴射して前記本体内部の用土を通じて作物に水及び／または栄養液を供給するための配管またはホースと、
前記下敷板、本体及び配管が２層以上に組み立てられて製作されたことを特徴とする多層構造機構を利用した栽培装置。
【請求項２】
イチゴ、小型葉菜類、球根作物及び観賞植物の栽培装置において、
底面には、水及び／または栄養液を供給する場合に、重力によって下へ流れるように複数の孔が形成され、作物を植えて栽培することができる複数の孔が側面に形成され、内部には植えた作物に水及び／または栄養液を供給できるようにピ−トモス、粗砂、炭、籾殻混合物、粉炭、パーライト、有機質混合上土及び黄土中の一つまたは二つ以上が混合された用土を入れた本体と、
前記本体の中央に設置され、作物がよく育つように水及び／または栄養液を注入または噴射して、前記本体内部の用土を通じて作物に水及び／または栄養液を供給するための配管またはホースと、
前記本体及び配管が２層以上に組み立てられて製作されたことを特徴とする多層構造機構を利用した栽培装置。
【請求項３】
イチゴ、小型葉菜類、球根作物及び観賞植物の栽培装置において、
水及び／または栄養液を供給する場合に、重力によって下へ流れるように複数の孔が形成された下敷板と、
前記下敷板の上部に位置し、側面にはイチゴ及び小型葉菜類を植えて栽培することができる複数の孔が形成され、内部には植えた作物に水及び／または栄養液を供給できるようにピ−トモス、粗砂、炭、籾殻混合物、粉炭、パーライト、有機質混合上土及び黄土中の一つまたは二つ以上が混合された用土を入れた本体、
前記本体の上部一側に配管またはホースを挿入することができる挿入溝が形成され、本体の外側を通じて前記挿入溝に配管またはホースを設置し、設置された作物がよく育つように水及び／または栄養液を注入または噴射して前記本体内部の用土を通じて作物に水及び／または栄養液を供給するための配管またはホースと、
前記下敷板、本体及び配管が２層以上に組み立てられて製作されたことを特徴とする多層構造機構を利用した栽培装置。
【請求項４】
前記複数の孔が形成された下敷板には組み立て及び分離作業の時に取っ手として用い、最下端に位置する場合に、底部に堅固に固定するための孔が形成された二つ以上の取っ手兼用底部固定用突出部を備えることを特徴とする請求項１または３に記載の多層構造機構を利用した栽培装置。
【請求項５】
前記下敷板と本体の上部面及び下部面には、支持台と本体を組立てる時容易に組み立てるようにし、針金または長い釘を利用して堅固に締結することができるように基準溝がさらに形成されることを特徴とする請求項１または３に記載の多層構造機構を利用した栽培装置。
【請求項６】
前記本体の外部表面には作物が均一に成長し、実が均一に熟することができるように、紫外線及び可視光線を反射する反射フィルムを付着するか、アルミニウムなどの反射物質でコーティングすることを特徴とする請求項１乃至３の中の何れか一項に記載の多層構造機構を利用した栽培装置。
【請求項７】
前記本体の上部または下部には、組み立てまたは分離作業者が容易に作業できるように、二つ以上の取っ手が設置されたことを特徴とする請求項２に記載の多層構造機構を利用した栽培装置。
【請求項８】
前記水及び／または栄養液を供給するために、配管またはホースの上部は、水及び／または栄養液を供給するための水及び／または栄養液を貯蔵する貯蔵タンクが設置され、
前記貯蔵タンクと配管またはホースとの間には、水及び／または栄養液を供給するための配管またはホースが連結設置され、
前記配管の一側には、水及び／または栄養液の供給を制御する制御バルブがさらに設置されることを特徴とする請求項１乃至３の中の何れか一項に記載の多層構造機構を利用した栽培装置。
【請求項９】
前記水及び／または栄養液を供給するための配管またはホースの下部には、供給される水／または栄養液が下へ排出されないように閉鎖膜が設置され、水及び／または栄養液の供給のための配管は、各層別に組み立て可能に雄及び雌締結構造で構成したり、２層以上に長く形成することを特徴とする請求項１に記載の多層構造機構を利用した栽培装置。
【請求項１０】
前記栽培装置の最下端に多層構造機構を回転するために、下部にボールベアリングを案内する案内溝が形成された上部回転盤と、
前記ボールベアリングが移動しないで一つの場所で回転することができるように、ボールベアリング挿入溝が形成された下部固定盤と、
前記下部固定盤に形成された挿入溝にボールベアリングが挿入され、
水及び／または栄養液を供給する配管の上部には、栽培装置の回転を収容することができる締結構造をさらに具備したことを特徴とする請求項１乃至３の中の何れか一項に記載の多層構造機構を利用した栽培装置。
【請求項１１】
前記多層構造機構を利用した栽培装置を教育用、公園、建物のロビー、大通りの道端、各種イベントホール及びイベント場所に容易に設置することができるように、下部に水受けトレーをさらに具備したことを特徴とする請求項１乃至３の中の何れか一項に記載の多層構造機構を利用した栽培装置。
【請求項１２】
イチゴ、小型葉菜類、球根作物及び観賞植物の栽培方法において、
水及び／または栄養液を供給する配管またはホースが設置され、作物を植えることができる孔が側面に複数形成された多層構造機構に製作されて、イチゴ、小型葉菜類、球根作物及び観賞植物を栽培することができる栽培装置を設計製作する段階と、
漏斗形状の育苗箱のポットに、イチゴ、小型葉菜類、球根作物及び観賞植物を植えて育苗する段階と、
前記設計製作された栽培装置に、イチゴ、小型葉菜類、球根作物及び観賞植物を植えることができるように形成された孔に、前記育苗箱で育ったイチゴ、小型葉菜類、球根作物及び観賞植物をポットを取り除いて孔に植える段階と、
前記本体に形成された孔に植えられて、本体にピ−トモス、粗砂、炭、籾殻混合物、粉炭、パーライト、有機質混合上土及び黄土中の一つまたは二つ以上を混合して入れた用土にイチゴ、小型葉菜類、球根作物及び観賞植物が根を下ろして育つように水及び／または栄養液を供給する段階と、を含むことを特徴とする多層構造機構を利用した栽培方法。
【請求項１３】
前記栽培装置を設計及び製作する段階において、栽培装置の側面の外部表面には作物が均一に生長し、且つ実が均一に熟することができるように、紫外線及び可視光線を反射する反射フィルムを付着するか反射物質をコーティングすることを特徴とする請求項１２に記載の多層構造機構を利用した栽培方法。
【請求項１４】
前記栽培装置を設計及び製作する段階において、多層構造機構を利用した栽培装置の最下端に栽培装置を回転することができる回転部がさらに設けられることを特徴とする請求項１２に記載の多層構造機構を利用した栽培方法。
【発明の詳細な説明】
【技術分野】
【０００１】
本発明はイチゴ、小型葉菜類などの球根作物及び観賞植物を狭い空間で大量に栽培するための装置及びその方法で、より具体的には、本体の内部には、側面に植えた作物が根を通じて水及び／または栄養液が供給されることができるように、ピ−トモス、粗砂、炭、籾殻混合物、粉炭、パーライト、有機質混合上土及び黄土中の一つまたは二つ以上が混合された用土を入れ、本体内部の用土を通じて作物に水及び／または栄養液を供給するために、配管またはホースが設置された多層構造機構を利用したイチゴ及び小型葉菜類の栽培装置及びその方法に関する。
【背景技術】
【０００２】
一般的に、イチゴ、小型葉菜類などの球根作物及び観賞植物のビニールハウス栽培は、主に平面栽培で行われるため単位面積当たり栽培できる施設面積の限界に逢着して単位面積当たり生産量を増加させることが難しいことから、密植栽培や多量の化学肥料を撒布して生産量を増大させるなどの問題点があった。
【０００３】
また、作物栽培や収穫の時に労働力が多く必要なイチゴ及び小型葉菜類の場合には、複数の労働力を確保しなければならないが、腰を下げて働く過酷な作業環境によって作業を敬遠することから労働力の確保が簡単ではないという問題点がある。
【０００４】
通常、ビニールハウスで栽培される作物の場合には、高温多湿で密閉された環境の中で各種疾病（灰色かび病など）が発生する場合に、用土や空間を通じて細菌が急速に増殖して、栽培作物に農薬を多量撒布しても所定の成果を収めることができず、これにより農薬過多撒布によってイチゴ及び小型葉菜類の残留農薬成分がたまに危険水位に近付いてこれを摂取する消費者の健康を害し、農薬撒布の時に栽培農民が農薬に中毒されるなどの問題がある。
【０００５】
また他の従来技術は、蔓の果物の栽培に対して耕作面積を水平的概念から垂直的概念に転換させて、円筒柱の表面を利用して面積を拡大する方法が開示されている（特許文献１）。しかしながら、水と栄養液を效率的に供給することができる別途の配管を設置していなくて效率的に栽培できない問題点、果物支持台に果物が位置するため、果物が支持台に付いている土や埃及び細菌によって汚染される問題点、種蒔き具が果物支持台の高さより低く形成されて種蒔きが容易でない問題点、栽培容器の内部には、通常土と堆肥からなるため、重量が重くて扱いにくい問題点があり、またポット育苗箱で育った苗を利用しないで、種子を直接種蒔き具に播種するので、生存可能性を予測しにくいという問題点がある。
【先行技術文献】
【特許文献】
【０００６】
【特許文献１】韓国登録実用新案公報第２０−０３５２７１５号
【発明の概要】
【発明が解決しようとする課題】
【０００７】
本発明の技術的課題は多層構造機構でイチゴ、小型葉菜類などの球根作物及び観賞植物などを栽培することができるように設計製作するので、生産量を平面栽培より数倍から１５倍以上得ることができ、下部に水受けトレーを設置して家庭用または教育用としてイチゴや野菜を生産することができ、公園、建物のロビー、大通りの道端、イベントホール及びイベント場所などに植木鉢の代わりに、多層に花や特定植物を栽培したり飾って立体的に展示したりすることができるようにすることを目的とする。
【０００８】
本発明のまた他の技術的課題は、多層構造機構で約１８０ｃｍの高さで栽培するので作業が楽で、作業者の腰を保護するなど作業環境を改善することを目的とする。
【０００９】
本発明のまた他の技術的課題は、多層構造に栽培されるイチゴ及び小型葉菜類などで各種疾病が発生しても、発生した層を容易に除いて農薬を撒布するので、疾病が広がることを容易に防止し、撒布される農薬の量を最小化して、作業者及び需要者を農薬から安全に守ることを目的とする。
【００１０】
本発明が解決しようとするまた他の課題は、多層構造機構で栽培されるイチゴ及び小型葉菜類などは通路や底部などに実や葉が触れる虞がないので、収穫された実が清潔な状態で収穫でき、本体外部には紫外線及び可視光線の確保のために、アルミニウムなどの反射物質をコーティングするか付着して、それぞれの本体で反射される紫外線によって作物の均一な成長を誘導して、収穫される実が均一に熟することができるようにして、高品質の実を収穫することを目的とする。
【００１１】
本発明が解決しようとするまた他の課題は、多層構造機構の最下端に回転部を設置して作業者が一つの場所で必要な作業及び収穫ができるようにして、速かに作業が行われるようにし、紫外線と可視光線を均一に作物に供給して均一に成長するようにすることを目的とする。
【課題を解決するための手段】
【００１２】
本発明の課題解決手段は、イチゴ、人参、小型葉菜類などの球根作物及び観賞植物の多収穫または多量栽培を可能にするために、水及び／または栄養液の通路である複数の孔が形成された下敷板を備え、下敷板の上部にはイチゴ及び小型葉菜類を植えて栽培することができる複数の孔が所定間隔及び大きさに形成されている本体が位置し、本体内部には側面に植えた作物が根を通じて水と栄養液が供給されることができるように、ピ−トモス、粗砂、炭、籾殻混合物、粉炭、パーライト、有機質混合上土及び黄土の中の一つまたは二つ以上が混合された用土を入れ、本体の中央には作物がよく育つように水及び／または栄養液を注入して本体内部の用土を通じて作物に水と栄養液を供給するための配管またはホースが設置され、本体に形成された孔にポット育苗箱で育った苗を本体に形成された孔に植えて作物を栽培することができるように設計製作された多層構造機構を利用したイチゴ及び小型葉菜類の栽培装置及び方法を提供する。
【００１３】
本発明のまた他の課題解決手段は、多層構造機構で栽培されるイチゴ及び小型葉菜類などで各種疾病（灰色かび病など）が発生しても発生した層のみを除いて農薬を撒布することができるように、本体と支持台を分離して構成し、支持台には本体の交替または除去が容易になるように取っ手兼用底部固定用突出部を二つ以上形成して製作された多層構造機構を利用したイチゴ及び小型葉菜類の栽培装置を提供する。
【００１４】
本発明のまた他の課題解決手段は、それぞれの本体で反射される紫外線及び可視光線によって作物の均一な成長を誘導して、収穫される実が最大限に均一に熟することができるように、紫外線及び可視光線を最大限に確保するために、アルミニウムなどの反射物質で本体の外部にコーティングしたり、反射フィルムが付着された多層構造機構を利用したイチゴ及び小型葉菜類の栽培装置を提供する。
【００１５】
本発明のまた他の課題解決手段は、本体及び支持台の一側に多段に容易に組み立てるために、組み立てる時の基準となる基準溝が形成されて、組み立て製作が容易なイチゴ及び小型葉菜類の多収穫栽培装置を提供する。
【００１６】
本発明のまた他の課題解決手段は、作業者が一つの場所で必要な作業及び収穫ができるようにして、速かに作業が行われるようにしたり、紫外線と可視光線を均一に作物に供給するために、多層構造機構の最下端に回転部が設置され、組み立てが容易なイチゴ及び小型葉菜類の多収穫栽培装置を提供する。
【００１７】
本発明のまた他の課題解決手段は、多層構造機構で設計製作されたイチゴ、小型葉菜類などの球根作物及び観賞植物などの栽培装置を設計製作する段階と、最大直径が約３ｃｍの漏斗形状の育苗箱のポットにイチゴ、小型葉菜類などの球根作物及び観賞植物などを植えて育苗する段階と、栽培装置の本体に所定間隔と所定高さでイチゴ、小型葉菜類などの球根作物及び観賞植物などを植えることができるように形成された複数の孔に、育苗箱で育ったイチゴ、小型葉菜類などの球根作物及び観賞植物のポットを取り除いた後、複数の孔に入れて植える段階と、本体に形成された孔に植えて育つように、水及び／または栄養液を供給する段階とからなる多層構造機構を利用したイチゴ及び小型葉菜類の栽培方法を提供する。
【００１８】
本発明のまた他の課題解決手段は、下部に水受けトレーを設置して、家庭用または教育用としてイチゴや野菜を生産することができ、公園、建物のロビー、大通りの道端、イベントホール及びイベント場所などに植木鉢の代わりに多層に花や特定植物を栽培したり、飾り用として立体的に展示することができる。
【発明の効果】
【００１９】
本発明は多層構造機構でイチゴ、小型葉菜類などの球根作物及び観賞植物などを栽培することができるように設計製作するので、生産量を平面栽培より数倍〜１５倍以上に向上させることができ、下部に水受けトレーを設置して家庭用または教育用としてイチゴや野菜を生産することができて、公園、建物のロビー、大通りの道端、イベントホール及びイベント場所に植木鉢などの代わりに多層に花や特定植物を栽培したり、飾り用として立体的に展示することができるという作用效果を奏する。
【００２０】
本発明のまた他の效果は、３層乃至６層からなる多層構造で、約１００ｃｍ乃至１８０ｃｍの高さで垂直に栽培するので、作業を楽にさせ、作業者の腰を保護するなど作業環境を改善する。
【００２１】
本発明のまた他の效果は、多層構造で栽培されるイチゴ及び小型葉菜類などで各種疾病が発生しても発生した層を除いて農薬を撒布するので、疾病が広がることを容易に防止することができ、撒布される農薬の量を最小化し、且つ作業者及び需要者を農薬から安全に守る。
【００２２】
本発明のまた他の效果は、多層構造機構で栽培されるイチゴ及び小型葉菜類などが通路や底部などに実や葉の触れる虞がないので、収穫された実が清潔な状態で収穫可能で、本体外部には紫外線及び可視光線の確保のために反射物質でコーティングしたり、反射フィルムを付着してそれぞれの本体で反射される紫外線によって作物の均一な成長を誘導して、収穫される実が均一に熟することができるようにして、高品質の実を収穫して所得を向上させる。
【００２３】
本発明のまた他の效果は、多層構造機構の最下端に回転部を設置して、作業者が一つの場所で必要な作業及び収穫ができるようにして、速かに作業が行われるようにしたり、紫外線と可視光線を均一に供給して作物が均一に熟して成長するようにする。
【図面の簡単な説明】
【００２４】
【図１】本発明による多層構造機構を利用したイチゴ及び小型葉菜類の栽培装置本体の平面図及び正面図である。
【図２】本発明による多層構造機構の下敷板の平面図である。
【図３】作物に水及び栄養液を供給するための配管の形態である。
【図４】本発明によるイチゴ及び小型葉菜類の多収穫栽培のための多層構造機構（２層）を分解した斜視図である。
【図５】多収穫栽培のための多層構造機構の多様な形状である。
【図６】多収穫栽培のための多層構造機構の多様な形状である。
【図７】多収穫栽培のための多層構造機構の多様な形状である。
【図８】多層構造機構を回転する回転部の構造の一つの例である。
【図９】多層構造機構を回転する回転部の構造のまた他の一つの例である。
【発明を実施するための形態】
【００２５】
本発明を実施するための好ましい形態を説明すると、図１で、本体１１の中央には、作物がよく育つように、水及び／または栄養液を注入して、前記本体１１内部の用土を通じて作物に水及び／または栄養液を供給するために、微細な孔２２が形成された配管２１が設置されたり、それぞれの層ごとに、水及び／または栄養液を供給するためのホースまたは配管が下敷板１４中央に形成された孔１５を貫通して設置され、本体１１内部には、複数の孔に植えた作物が根を通じて水及び／または栄養液を供給することができるように、ピ−トモス、粗砂、炭、籾殻混合物、粉炭、パーライト、有機質混合上土及び黄土中の一つまたは二つ以上が混合された用土を入れる。
【００２６】
本体１１に形成された複数の孔１２のそれぞれは、直径が約３ｃｍであり、イチゴ、小型葉菜類などの球根作物及び観賞植物を直径３ｃｍ前後のポット育苗箱で育てた後、ポットで育った苗を本体１１に形成した孔１２にポットを除去して入れて作物を植え込む。本体１１の厚さは０．５ｃｍ〜１ｃｍで、横４０ｃｍ×高さ５０ｃｍの円筒状に設計製作され、本体の側面には所定間隔を置いて上下に約２４個の作物を植えることができる孔１２が形成されている。
【００２７】
実施形態１
図１は多層構造機構を利用したイチゴ及び小型葉菜類栽培装置の本体１１を示す。本体１１の各上部面と下部面には作業者が多層構造機構を容易に組み立てるように基準溝１３、２３が形成されており、図２の下敷板上にも本体に形成された上部面と下部面の基準溝１３、２３に合わせて基準溝１９が形成されている。本体及び下敷板に形成された基準溝１３、２３、１９は、層と層との間を堅固に締結するために、針金または長い釘などを利用して溝に挿入して締結することもできる。
図４は多層構造機構を利用したイチゴ及び小型葉菜類の栽培装置を２層に形成した斜視図であり、より具体的に説明すると、図４の多層構造機構の栽培装置の下部下敷板１４は底部にボルト２０で堅固に固定され、支持台１４の上部には支持台に形成された基準溝に合わせて本体１１を位置させ、中央には水及び／または栄養液を供給するための微細な孔２２が形成された配管２１を設置したり、図３ｂのように、中央に複数の細い配管またはホースをそれぞれの層の本体中央上部に水及び／または栄養液を噴射または注入して供給するように製作することができる。
【００２８】
本体１１の形状を表す数値は、イチゴまたは小型葉菜類と類似する作物を栽培する時使用可能な形状及び大きさを具体的に記述した一つの実施形態であり、本体１１の大きさ、本体１１に形成した孔１２の大きさ及び孔１２の間の間隔は、用途及び作物の種類などを考慮して上記数値より小さくまたは大きく多様に形成して設計製作することができる。
【００２９】
図１の本体１１の材質はプラスチック、合成樹脂、スタイロフォーム、ＦＲＰ、ステンレス材質、アルミニウム、硝子、陶磁器及び圧搾パルプの中で一つを選択して製作することもでき、円筒状の本体直径の大きさ及び高さは各作物によって多様な大きさに設計して製作することができる。
【００３０】
図１〜図４の実施形態では、本体の形状を円筒状に製作したことについて説明したが、本発明は図１〜図４に基づいて、円錐状、楕円形及び正多角形を含む多様な多角形形状に変形して設計製作することができる。
【００３１】
本体の外部表面は反射によって紫外線及び可視光線を最大限に確保するために、日差しやＬＥＤなどで発生する紫外線及び可視光線を反射するアルミニウムなどの反射物質などをコーティングするか反射フィルムを付着して、各本体１１に付着またはコーティングされた反射物質によって反射された紫外線及び可視光線によって光線を補って作物の均一な成長及び実が均一に熟することができるように構成されている。
【００３２】
図２の下敷板１４は本体１１内部に多様な種類の栽培用土が入ったものを支え、下敷板１４には直径が約１ｃｍである３〜８つの孔１８が形成されて、水及び／または栄養液が灌水される時、重力によって自然に下へ流れて、水及び／または栄養液が排水されるようになっている。
【００３３】
下敷板の四つの角には取っ手兼用底部固定用突出部１７が形成されて、取っ手兼用底部固定用突出部１７には、下敷板が最も下部に位置する時、底部に釘またはボルトなどを使って堅固に固定することができるように固定用溝１６が形成され、多層に組立てる時、上層に位置する下敷板１４の場合には、疾病（灰色かび病など）の発生または本体の損傷などによって対応する本体１１のみ取り出したり交換する時、作業者の作業を容易にする取っ手の役割を果たすことができるように製作されている。
【００３４】
図３は栄養液及び灌水用配管２１で、配管２１は本体１１及び下敷板１４の中心を貫通するように設計製作され、配管２１の表面は微細な孔２２が形成されている。配管２１の最下端は水及び／または栄養液が配管２１下部に真っすぐ排出されないで、圧力によって配管の側面に形成された微細な孔２２を通じて多層の本体内部の用土の中に自然に噴射または滲み込むようにして、水及び／または栄養液が下部へ流れることを止める閉鎖膜２４（図３）が形成されている。
【００３５】
水及び／または栄養液を供給する配管は、図３ｂのように、支持台の中央に形成された孔に係止されてこれ以上下がらないように丸くまたは二つ以上の突出する係止突起２５（図３）を形成して設計製作することができる。栄養液及び灌水用配管２１は最下端を閉鎖した構造で、本体１１と下敷板１４の高さを考慮して、一層単位で組み立てて設置することができるように設計製作された構造、２層を一つの単位にして組み立て締結するように設計して製作された構造及び多層を一つに使うように設計して製作された構造など多様な構造で設計製作することができる。
【００３６】
また、他の水及び／または栄養液を供給する構造は、最上層に水及び／または栄養液を噴射または注入供給して下部層へ重力によって孔を通じて移動しながら漸進的に供給するように製作することができる。
【００３７】
また、他の水及び／または栄養液を供給する構造は、図３ｄのように、外部に細いホースまたは配管を設置し、それぞれの層の上部に前記細いホースまたは配管を挿入する孔を本体の上部に形成し、ホースまたは配管を形成した孔に挿入して層別に水及び／または栄養液を噴射または注入して供給したり、図３ｃのように、本体内部に複数の配管またはホースを本体の中央上部に設置し、設置されたホースまたは配管を通じて各層別に水及び／または栄養液を噴射または注入して供給することができるように製作することができる。
【００３８】
水及び／または栄養液を供給するための微細な孔が形成された配管の上部には、水及び／または栄養液を供給するための貯蔵タンクと配管が設置され、配管の一側には水及び／または栄養液の供給を制御する電子制御バルブまたは手動制御バルブを設置して、所定時間を置いて自動に供給されるように製作したり、手動で制御することができるように構成することができる。水及び／または栄養液を供給するための貯蔵タンクは、高い位置に設置して自然に流れ出るように製作したり、配管の一側に別途の注入ポンプを設置して供給することもできる。
【００３９】
水と栄養液を供給するための貯蔵タンクは、水と栄養液を混合して一つの配管を通じて作物に供給したり、水または栄養液を供給するタンク、配管及び制御バルブを別途に設置し、これら二つの配管それぞれに別途の制御バルブを設置して、制御バルブが位置した下部で前記二つの配管が一つに結合されるように製作して、水と栄養液を別途に作物に供給したり、同時に作物に供給することができるように構成することができる。
【００４０】
図４は本体１１及び下敷板１４を利用して多層に連続結合した構造であり、半円形または軒型などの多様な形状のビニールハウスの高さ及び作業者の作業效率などを考慮して、２段、３段、４段、５段、６段及び７段の中で選択して多様な層に組立てることができ、ビニールハウス室内を最大限に效率的に活用し、作業者の作業效率などを考慮して単位面積当たり生産性を極大化させることができるように設計製作される。
【００４１】
一つの本体または多層構造機構に互いに異なる種類の作物または植物を植えることもできる。
【００４２】
実施形態２
実施形態２は、図５乃至図７のように、多様な形状に設計製作して、イチゴ、小型葉菜類などの球根作物及び観賞植物を栽培するための多層構造機構のまた他の実施形態である。
【００４３】
図５及び／または図６は、実施形態１で下敷板と本体を一体型に形成しているが、図５は取っ手兼用下部固定用突出部を本体の下部に形成しており、図６は取っ手を本体の上部に一体に形成して設計製作したのである。
【００４４】
実施形態１における下敷板と本体を一つに形成した図５及び図６の多層構造機構は、平らな底部に一つを位置させ、中央には表面に微細な孔が形成されて、水及び／または栄養液を噴射または注入して、作物を效率的に栽培することができるように配管またはホースが設置されている。配管の最下端は閉鎖された構造に設計製作して、水及び／または栄養液が重力によって微細な孔を通じて用土の内部に自然に噴射または滲み込むように形成されている。
【００４５】
実施形態２でも実施形態１と同様に、図３ｃと図３ｄと同じ構造または上部から噴射または注入して水及び／または栄養液を供給することができる。
【００４６】
図５及び図６は本体及び下敷板が一体に成形製作されて多層に組立てることができる多層構造機構で、多層（３層）に連続結合した構造であり、多様な形状のビニールハウスの高さ及び作業者の作業效率などを考慮して、２段、３段、４段、５段、６段及び７段の中で選択して多様な層に組み立てて単位面積当たり生産性を最大限に向上させることができるように設計製作することができる。
【００４７】
本体及び下敷板が一体に成形製作されたイチゴ、小型葉菜類などの球根作物及び観賞植物などを栽培することができる多層構造機構の外部には、紫外線を反射するアルミニウムなどの反射物質をコーティングするか、反射フィルムを付着して作物の均一な成長及び実が均一に熟するようにするなどの構成は実施形態１と同じである。
【００４８】
図７は図６の構造で下部に係止突起を形成して内部に別途の下敷板を挿入することができるように設計製作した図であり、本発明のまた他の実施形態である。
【００４９】
本発明は平面栽培ではない多様な形状の垂直多層構造機構を設計製作して、機構物の上には育苗箱のポットで育った幼い作物を植えることができる孔と、機構の内部または中央に水及び／または栄養液を供給することができように微細な孔とが形成された配管を設置して、イチゴ、小型葉菜類などの球根作物及び観賞植物などを栽培して、単位面積当たり生産量を平面栽培より数倍〜１５倍以上の収穫を得ることができるように形成されたものであれば、これは本発明の多層構造機構を利用した作物の栽培装置を単純に設計変更したもので、本発明の保護範囲に属する。
【００５０】
実施形態３
本発明による実施形態３は、実施形態１及び実施形態２で設計製作された多層構造機構の栽培装置を利用して、イチゴ、小型葉菜類などの球根作物及び観賞植物などの栽培方法に関する。
【００５１】
実施形態３による発明は、実施形態１及び実施形態２のように、イチゴ、小型葉菜類などの球根作物及び観賞植物などを栽培することができる多層構造機構を設計製作する段階を経る。最大直径が約３ｃｍの漏斗形状の育苗箱のポットにイチゴ、小型葉菜類などの球根作物及び観賞植物などを植えて育苗する段階を経る。
【００５２】
多層構造機構の作物栽培装置の本体に所定間隔と所定高さで、イチゴ、小型葉菜類などの球根作物及び観賞植物などを植えることができるように形成された孔に、ポット育苗箱で育ったイチゴ、小型葉菜類などの球根作物及び観賞植物からポットを取り除いた後、栽培装置に形成された複数の孔に入れて植える段階を経る。
【００５３】
本体に形成された孔に植えられた作物が、本体にピ−トモス、粗砂、炭、籾殻混合物、粉炭、パーライト、有機質混合上土及び黄土の中の一つまたは二つ以上を混合して入れた用土に根を下ろしてイチゴ、小型葉菜類などの球根作物及び観賞植物が育つように、水及び／または栄養液を供給する段階からなるイチゴ、小型葉菜類などの球根作物及び観賞植物などの栽培方法を提供する。
【００５４】
実施形態３によるイチゴ、小型葉菜類などの球根作物及び観賞植物などの栽培方法は、実施形態１と実施形態２で多様に設計製作された栽培装置を利用して作物または植物の栽培を行う。
【００５５】
実施形態１乃至実施形態３で設計製作された多層構造機構の最下端部に、図８のように設計製作された回転部を別途に設置して作業者が一つの場所で作業したり収穫でき、紫外線及び可視光線を均一に受けて均一に成長及び実が熟することができるように、周期的に所定角度回転できるように構成することができる。回転部は、図８のように、ボールベアリング３３を上部回転盤３１と下部固定盤３２との間に挿入して設計製作されている。
【００５６】
上部回転盤３１の下部にはボールベアリング３３が離脱しないで回転することができるように、三角形または多様な形状のボールベアリング案内溝３６が中心から同じ距離に丸く形成されており、上部回転盤３１の上部には作業者が容易に組み立てるように、下敷板１４に形成された基準溝１９と同じ位置に基準溝３４が形成されている。
【００５７】
下部固定盤の上部には複数のボールベアリング３３が離脱しないで一つの場所で回転することができるように、中心から同じ距離にボールベアリング挿入溝３５が形成されている。
【００５８】
上部回転盤３１と下部固定盤３２は、内部の空いた空間に設計製作されたり、平板に設計製作されることができ、材質は錆の発生しない堅固な金属材質やプラスチックなどの合成樹脂で成形製作することができる。
【００５９】
また、他の回転方法は、図９のように、ベアリングを使用しないで、上部回転盤３１と下部固定盤３２が当接する部分に摩擦力を減らすための円滑油またはグリースを注入して上部回転盤３１を回転することができるように設計製作することができる。
【００６０】
下部に回転部が設置されて回転する場合には、水及び／または栄養液を供給するラインの上部に多層構造機構の回転を収容することができるように、回転可能で且つ水が漏れない多様な構造（一つの例として、回転可能に設置された洗面台の蛇口など）で締結することができる。
【００６１】
回転部には、回転モーターを設置して周期的に左右または一方向に回転するように設計製作し、自動に所定時間単位に回転して、均一な成長を促進するように構成したり、作業者がスィッチを作動させて手動で所定角度回転できるように構成することができる。
【００６２】
本発明による実施形態１乃至実施形態３の栽培装置及び方法を、家庭用または教育用で、イチゴや野菜を栽培したり生産するための栽培装置の下部に水受けトレーを設置することができ、公園、建物のロビー、大通りの道端、各種イベントホール及びイベント場所に植木鉢の代わりに多層に花や特定植物を栽培したり、飾りとして立体的に展示してイベントホールを派手に飾ることもできる。
【００６３】
本発明による栽培装置及び方法は、ポット育苗箱で育った苗をポットを取り除いた後本体に形成された孔に植えて作物を栽培できるように、作物及び植物であれば全て適用可能である。
【産業上の利用可能性】
【００６４】
本発明はイチゴ、小型葉菜類などの球根作物及び観賞植物の多収穫または多量栽培を可能にするために、多層構造機構を利用したイチゴ及び小型葉菜類の栽培装置及び方法を提供して、単位面積当たり生産性を大きく向上させ、清潔な栽培が可能で、且つ農薬の使用を減らすことができるので産業上の利用可能性が非常に高い。
【符号の説明】
【００６５】
１１：本体
１２：作物を植えるための孔
１３：上部面基準溝（本体）
１４：支持台
１５：配管通孔
１６：突出部に形成された孔
１７：取っ手兼用下部固定用突出部
１８：水と栄養液が通過する孔
１９：基準溝（下敷板）
２０：底部固定用ボルト
２１：水及び／または栄養液供給配管
２２：水及び／または栄養液供給孔
２３：下部面基準溝（本体）
２４：閉鎖膜
２５：係止突起
３１：上部回転盤
３２：下部固定盤
３３：ボールベアリング
３４：基準溝
３５：ボールベアリング挿入溝（下部固定盤）
３６：ボールベアリング回転案内溝（上部回転盤）
【図１】
2012516151.tif 000003
【図２】
2012516151.tif 000004
【図３】
2012516151.tif 000005
【図４】
2012516151.tif 000006
【図５】
2012516151.tif 000007
【図６】
2012516151.tif 000008
【図７】
2012516151.tif 000009
【図８】
2012516151.tif 000010
【図９】
2012516151.tif 000011
【国際調査報告】
2012516151.tif 000012
2012516151.tif 000013
2012516151.tif 000014
2012516151.tif 000015
2012516151.tif 000016
2012516151.tif 000017